(57)【要約】      （修正有）【課題】燃料電池から排出されるオフガスが流通するオフガス流路に配設された湿度センサが、水蒸気飽和状態のような高湿度雰囲気に置かれることを防止し、燃料電池内の水分量を常に適切に維持することが可能な燃料電池システムを提供する。【解決手段】燃料電池１０から排出されるオフガスを流通させるオフガス流路が、メイン流路２１とバイパス流路２２に分岐され、メイン流路２１またはバイパス流路２２の切替を行う切替手段の切替を制御する切替制御手段５１と、オフガスの湿度を推定する湿度推定手段５２と、メイン流路２１に配設された湿度センサ２５を有し、切替制御手段５１は、湿度推定手段５２で推定された湿度または湿度センサ２５で測定された湿度が第１の閾値以上である場合に、バイパス流路２２にオフガスが流通し湿度推定手段５２により推定された湿度が第２の閾値を下回った場合にメイン流路２１にオフガスが流通するよう切替手段を制御する。【選択図】    図１
2007005064.tif 000002
【特許請求の範囲】
【請求項１】
燃料電池と、前記燃料電池に接続され且つ当該燃料電池に反応ガスを供給する反応ガス流路と、前記燃料電池に接続され且つ当該燃料電池から排出されるオフガスを流通させるオフガス流路と、を備えてなる燃料電池システムであって、
前記オフガス流路は、メイン流路と、バイパス流路とに分岐されてなり、
前記オフガス流路を、前記メイン流路またはバイパス流路に切替える切替手段と、
前記切替手段の切替を制御する切替制御手段と、
前記オフガスの湿度を推定する湿度推定手段と、
前記メイン流路の、前記バイパス流路との分岐点よりも下流側に配設された湿度センサと、
を備え、
前記切替制御手段は、前記湿度推定手段により推定された湿度、及び前記湿度センサにより測定された湿度のいずれか一方の値が第１の閾値以上である場合に、前記バイパス流路にオフガスが流通するよう前記切替手段を制御し、前記湿度推定手段により推定された湿度が第２の閾値を下回った場合に、前記メイン流路にオフガスが流通するよう前記切替手段を制御する燃料電池システム。
【請求項２】
前記湿度推定手段は、前記反応ガスに含有される水分量、前記燃料電池の発電により生成された生成水の量、前記燃料電池の温度、前記燃料電池の発電により得られる電圧、のうち少なくとも一つを用いて前記オフガスの湿度を推定する請求項１記載の燃料電池システム。
【請求項３】
前記第１の閾値は、前記第２の閾値以上である請求項１または請求項２記載の燃料電池システム。
【請求項４】
前記湿度推定手段で推定された湿度と、前記湿度センサで測定された湿度のいずれか一方に基づいて、前記燃料電池内の水分量を推定する水分量推定手段をさらに備えた請求項１ないし請求項３のいずれか一項に記載の燃料電池システム。
【請求項５】
前記反応ガスと共に前記燃料電池に供給される水分量を制御する水分量制御手段をさらに備え、当該水分量制御手段は、前記水分量推定手段により推定された値に基づいて、前記燃料電池に供給される水分量を制御する請求項４記載の燃料電池システム。
【請求項６】
前記反応ガスと共に前記燃料電池に供給される水分量を制御する水分量制御手段をさらに備え、当該水分量制御手段は、前記湿度センサで測定された湿度が第３の閾値を下回った場合に、当該湿度に基づいて、前記水分量が増加するよう制御する請求項１ないし請求項３のいずれか一項に記載の燃料電池システム。
【請求項７】
前記燃料電池に供給される冷媒の供給条件を制御する冷媒制御手段をさらに備え、当該冷媒制御手段は、前記水分量推定手段により推定された値に基づいて、前記冷媒の供給条件を制御する請求項４ないし請求項６のいずれか一項に記載の燃料電池システム。
【請求項８】
前記燃料電池に供給される冷媒の供給条件を制御する冷媒制御手段をさらに備え、当該冷媒制御手段は、前記湿度センサで測定された湿度が第３の閾値を下回った場合に、当該湿度に基づいて、前記燃料電池の温度が低下するよう前記冷媒の供給条件を制御する請求項１ないし請求項６のいずれか一項に記載の燃料電池システム。
【請求項９】
前記温度センサが、前記メイン流路の、前記バイパス流路との分岐点よりも下流側且つ合流点よりも上流側に配設されてなる請求項１ないし請求項８のいずれか一項に記載の燃料電池システム。
【請求項１０】
燃料電池と、前記燃料電池に接続され且つ当該燃料電池に反応ガスを供給する反応ガス流路と、前記燃料電池に接続され且つ当該燃料電池から排出されるオフガスを流通させるオフガス流路と、を備えてなる燃料電池システムであって、
前記オフガス流路は、メイン流路と、当該オフガス流路を流通するオフガスを排出するオフガス排出流路と、に分岐されてなり、
前記メイン流路及びオフガス排出流路を流通するオフガス量を変更する切替手段と、
前記切替手段の切替を制御する切替制御手段と、
前記メイン流路の、当該メイン流路とオフガス排出流路との分岐点よりも下流側に配設された湿度センサと、
を備え、
前記切替制御手段は、前記湿度センサによる検知結果に応じて、前記切替手段の切替をを制御し、当該湿度センサが設けられた流路を流通するオフガス量を制御する燃料電池システム。
【発明の詳細な説明】
【技術分野】
【０００１】
本発明は、燃料電池システムにかかり、特に燃料電池から排出されるオフガスの湿度を測定する湿度センサを備えてなる燃料電池システムに関する。
【背景技術】
【０００２】
従来から、一般的な固体高分子型燃料電池は、イオン交換膜からなる電解質膜と、この電解質膜の一方の面に配置されたアノード電極（燃料極）と、前記電解質膜の他方の面に配置されたカソード電極（酸化剤極）からなる膜−電極接合体（ＭＥＡ：Membrane  Electrode  Assembly、以下、単に「ＭＥＡ」という）と、このＭＥＡを挟んだ両側に各々配設されたセパレータとにより単セルを構成し、この単セルを複数積層して燃料電池スタックとしているものがある。
【０００３】
このような燃料電池では、通常、前記スタックに酸化ガス（例えば、酸素を含むガス、通常は空気）及び燃料ガス（例えば、水素を含むガス）が供給されると、酸化ガスが各セパレータの一方の面に形成された酸化ガス流路から各セルのカソード電極に供給され、燃料ガスが各セパレータの他方の面に形成された燃料ガス流路から各セルのアノード電極に供給される。そして、この酸化ガスと、燃料ガスとが、前記セルにおいて電気化学反応を生じさせることにより発電し、電力が得られるようになっている。
【０００４】
また、このような燃料電池は、より効率のよい発電を行うため、燃料電池内の水分量の過剰な増加や過剰な減少を抑止する必要がある。そこで、燃料電池の酸化ガス供給路、燃料ガス供給路、酸化ガス排出路、及び燃料ガス排出路に温湿度センサを配設し、燃料電池に供給される酸化ガス及び燃料ガスの温湿度と、当該燃料電池から排出されるオフガスの温湿度を測定し、これらの測定値に基づいて、燃料電池内に供給する酸化ガス及び燃料ガスに混入される水分量を制御することで、燃料電池内に存在する水分量を調整する燃料電池発電設備が紹介されている。（例えば、特許文献１参照）。
【特許文献１】特開２００２−３１３３８１号公報
【特許文献２】特開昭６４−７６６８１号公報
【特許文献３】特開２００３−５１３２８号公報
【特許文献４】特開２００４−１１９０５２号公報
【特許文献５】特開２００４−１９２９７３号公報
【発明の開示】
【発明が解決しようとする課題】
【０００５】
しかしながら、燃料電池から排出される空気系オフガスは、通常、水蒸気飽和しており、このような高湿度雰囲気に温湿度センサを配設すると、温湿度センサが濡れてしまうことがあり、このように一度濡れた温湿度センサは、湿度を正確に測定することが困難である。また、高湿度雰囲気に温湿度センサを配設すると、温湿度センサに不具合が生じる虞もある。
【０００６】
例えば、静電容量型の湿度センサの一部には、高分子系材料を含むものがあり、オフガスの湿度が１００％になると高分子系材料の物性が不可逆的に変化する場合があり、湿度を正確に測定することが困難である。
【０００７】
本発明は、このような事情に鑑みなされたものであり、燃料電池から排出されるオフガスが流通するオフガス流路に配設された湿度センサが、水蒸気飽和状態のような高湿度雰囲気に置かれることを防止可能であると共に、オフガスの湿度を正確に認知でき、燃料電池内の水分量を常に適切に維持することが可能な燃料電池システムを提供することを目的とする。
【課題を解決するための手段】
【０００８】
この目的を達成するため、本発明は、燃料電池と、前記燃料電池に接続され且つ当該燃料電池に反応ガスを供給する反応ガス流路と、前記燃料電池に接続され且つ当該燃料電池から排出されるオフガスを流通させるオフガス流路と、を備えてなる燃料電池システムであって、前記オフガス流路は、メイン流路と、バイパス流路とに分岐されてなり、前記オフガス流路を、前記メイン流路またはバイパス流路に切替える切替手段と、前記切替手段の切替を制御する切替制御手段と、前記オフガスの湿度を推定する湿度推定手段と、前記メイン流路の、前記バイパス流路との分岐点よりも下流側に配設された湿度センサと、を備え、前記切替制御手段は、前記湿度推定手段により推定された湿度、及び前記湿度センサにより測定された湿度のいずれか一方の値が第１の閾値以上である場合に、前記バイパス流路にオフガスが流通するよう前記切替手段を制御し、前記湿度推定手段により推定された湿度が第２の閾値を下回った場合に、前記メイン流路にオフガスが流通するよう前記切替手段を制御する燃料電池システムを提供するものである。
【０００９】
この構成を備えた燃料電池システムは、切替制御手段によって、切替手段を切り替えることで、オフガスがメイン流路及びバイパス流路のいずれか一方を流通することになる。また、湿度センサが、メイン流路の、バイパス流路との分岐点よりも下流側に配設されているため、オフガスが、バイパス流路を流通する際には、湿度センサがオフガスに晒されることがない。
【００１０】
ここで、前記オフガスは、前記湿度推定手段により推定された湿度、及び前記湿度センサにより測定された湿度のいずれか一方の値が第１の閾値以上である場合、即ち、オフガスが高湿度である場合に、前記バイパス流路を流通し、前記湿度推定手段により推定された湿度が第２の閾値を下回った場合、即ち、オフガスが水蒸気飽和状態でない場合に、前記メイン流路を流通することになるため、湿度センサが、水蒸気飽和状態のような高湿度雰囲気に置かれることを防止することができる。したがって、湿度センサの寿命を向上することができると共に、正確な湿度を測定することができる。
【００１１】
また、本発明にかかる燃料電池システムでは、前記湿度推定手段は、前記反応ガスに含有される水分量、前記燃料電池の発電により生成された生成水の量、前記燃料電池の温度、前記燃料電池の発電により得られる電圧、のうち少なくとも一つを用いて前記オフガスの湿度を推定することができる。
【００１２】
そしてまた、本発明にかかる燃料電池システムでは、前記第１の閾値は、前記第２の閾値以上となるよう設定することができる。
【００１３】
また、本発明にかかる燃料電池システムは、前記湿度推定手段で推定された湿度と、前記湿度センサで測定された湿度のいずれか一方に基づいて、前記燃料電池内の水分量を推定する水分量推定手段をさらに備えることができる。この構成により、前記利点に加え、燃料電池内の水分量を把握することができ、燃料電池内の水分量を常に適切に維持することができる。この場合、前記反応ガスと共に前記燃料電池に供給される水分量を制御する水分量制御手段をさらに備え、当該水分量制御手段は、前記水分量推定手段により推定された値に基づいて、前記燃料電池に供給される水分量を制御するよう構成することができる。
【００１４】
そしてまた、本発明にかかる燃料電池システムは、前記反応ガスと共に前記燃料電池に供給される水分量を制御する水分量制御手段をさらに備え、当該水分量制御手段は、前記湿度センサで測定された湿度が第３の閾値を下回った場合に、当該湿度に応じて、前記水分量が増加するよう制御する構成とすることができる。この構成により、前記湿度センサで測定された湿度が第３の閾値を下回った場合、即ち、燃料電池内の水分量が低下した場合に、燃料電池に適切な水分補充を行うことができ、前記利点に加え、燃料電池内の水分量を常に適切に維持することができる。
【００１５】
さらにまた、本発明にかかる燃料電池システムは、前記燃料電池に供給される冷媒の供給条件を制御する冷媒制御手段をさらに備え、当該冷媒制御手段は、前記水分量推定手段により推定された値に基づいて、前記冷媒の供給条件を制御するよう構成することもできる。このように構成することで、前記オフガスに含有される水分量、即ち、燃料電池から外部に排出される水分量を制御することができる。したがって、前記利点に加え、燃料電池内の水分量を常により適切に維持することができる。
【００１６】
また、本発明にかかる燃料電池システムは、前記燃料電池に供給される冷媒の供給条件を制御する冷媒制御手段をさらに備え、当該冷媒制御手段は、前記湿度センサで測定された湿度が第３の閾値を下回った場合に、当該湿度に基づいて、前記燃料電池の温度が低下するよう前記冷媒の供給条件を制御する構成とすることもできる。この構成により、前記湿度センサで測定された湿度が第３の閾値を下回った場合、即ち、燃料電池内の水分量が低下した場合に、燃料電池からオフガスと共に外部に排出される水分量を減少させることができる。したがって、前記利点に加え、燃料電池内の水分量を常により適切に維持することができる。
【００１７】
そしてまた、本発明にかかる燃料電池システムでは、前記温度センサを、前記メイン流路の、前記バイパス流路との分岐点よりも下流側且つ合流点よりも上流側に配設してもよい。
【００１８】
また、本発明は、燃料電池と、前記燃料電池に接続され且つ当該燃料電池に反応ガスを供給する反応ガス流路と、前記燃料電池に接続され且つ当該燃料電池から排出されるオフガスを流通させるオフガス流路と、を備えてなる燃料電池システムであって、前記オフガス流路は、メイン流路と、当該オフガス流路を流通するオフガスを排出するオフガス排出流路と、に分岐されてなり、前記メイン流路及びオフガス排出流路を流通するオフガス量を変更する切替手段と、前記切替手段の切替を制御する切替制御手段と、前記メイン流路の、前記オフガス排出流路との分岐点よりも下流側に配設された湿度センサと、を備え、前記切替制御手段は、前記湿度センサによる検知結果に応じて、前記切替手段の切替をを制御し、当該湿度センサが設けられた流路を流通するオフガス量を制御する燃料電池システムを提供するものである。
【００１９】
この構成を備えた燃料電池システムは、湿度センサによる検知結果に応じて、切替制御手段によって前記切替手段の切替を制御することで、メイン流路及びオフガス排出流路を流通するオフガス量を変更することができる。したがって、例えば、温度センサにより、オフガスが水蒸気飽和状態であると検知された場合、切替制御手段によって前記切替手段の切替を制御し、湿度センサが設けられた流路に、オフガスが流通しない、あるいはオフガスの流通量を制限する（減らす）ことができる。このため、湿度センサが、水蒸気飽和状態のような高湿度雰囲気に置かれることを防止することができる。したがって、湿度センサの寿命を向上することができる。
【発明の効果】
【００２０】
本発明にかかる燃料電池システムは、湿度推定手段により推定された湿度、及び湿度センサにより測定された湿度のいずれか一方の値が第１の閾値以上である場合に、オフガスをバイパス流路に流通させ、前記湿度推定手段により推定された湿度が第２の閾値を下回った場合に、オフガスを前記メイン流路に流通させることになる。したがって、当該メイン流路に配設された湿度センサが、水蒸気飽和状態のような高湿のオフガスに晒されることがない。この結果、湿度センサの寿命を向上することができると共に、正確な湿度を測定することができる。
【００２１】
また、本発明にかかる燃料電池システムは、湿度センサによる検知結果に応じて、切替制御手段が、前記切替手段の切替を制御するため、湿度センサが設けられた流路に、例えば、水蒸気飽和状態のような高湿のオフガスが流通することを無くす、あるいは制限する（減らす）ことができる。この結果、湿度センサが、水蒸気飽和状態のような高湿度雰囲気に置かれることを防止することができる。したがって、湿度センサの寿命を向上することができる。
【発明を実施するための最良の形態】
【００２２】
次に、本発明の好適な実施の形態にかかる燃料電池システムについて図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２３】
図１は、本発明の実施の形態にかかる燃料電池システムの概要図、図２は、図１に示す燃料システムの制御動作を示すフローチャートである。
【００２４】
図１に示すように、本実施の形態にかかる燃料電池システムは、燃料電池１０と、燃料電池１０に空気供給路１１を介して接続され、酸化ガスとしての空気を燃料電池１０に供給する空気供給源１２と、燃料電池１０に水素供給路（図示せず）を介して接続され、燃料ガスとしての水素を燃料電池１０に供給する水素供給源（図示せず）と、燃料電池１０に接続され、燃料電池１０から排出された空気系オフガスを流通させる空気系オフガス流路１３と、燃料電池１０から排出された水素系オフガスを流通させる水素系オフガス流路（図示せず）と、空気供給路１１及び空気系オフガス流路１３に配設された加湿器１４と、燃料電池システムの制御を行う制御部５０と、を備えて構成されている。
【００２５】
空気系オフガス流路１３は、メイン流路２１と、分岐点Ａにおいてメイン流路２１から分岐されたバイパス流路２２とから構成されており、メイン流路２１から分岐されたバイパス流路２２は、合流点Ｂにおいて再びメイン流路２１に合流されている。
【００２６】
メイン流路２１の分岐点Ａよりも下流側には、開閉バルブ２３が配設されており、バイパス流路２２の分岐点Ａよりも下流側には、開閉バルブ２４が配設されている。そして、これらの開閉バルブ２３及び２４の開閉を切替えることにより、空気系オフガスは、メイン流路２１を流通するか、バイパス流路２２にバイパスされて合流点Ｂを経てメイン流路２１に流通するか、のいずれか一方の経路をとることになる。
【００２７】
メイン流路２１の開閉バルブ２３よりも下流側には、ここを流通する空気系オフガスの湿度を測定する湿度センサ２５が配設されている。この湿度センサ２５で測定された湿度の値は、後に詳述する制御部５０の切替制御手段５１に出力されるようになっている。
【００２８】
加湿器１４は、空気供給源１２から供給される空気と、燃料電池１０から排出される空気系オフガスとの間で水交換（水分授受）を行い、空気供給源１２から供給される空気を加湿することが可能である。
【００２９】
制御部５０は、開閉バルブ２３及び２４に接続され、開閉バルブ２３及び２４の開閉の切替えを制御する切替制御手段５１と、空気系オフガスの湿度を推定する湿度推定手段５２と、燃料電池１０内の水分量を推定する水分量推定手段５３と、燃料電池１０内に供給される水分量を制御する水分量制御手段５４と、燃料電池１０に供給される冷媒の供給条件を制御する冷媒制御手段５５と、を備えている。
【００３０】
切替制御手段５１は、湿度推定手段５２によって推定されたオフガスの推定湿度、及び湿度センサ２５により実測された測定湿度のいずれか一方の値が、第１の閾値を超えた場合に、空気系オフガスがバイパス流路２２を流通するように、開閉バルブ２３を閉状態にすると共に、開閉バルブ２４を開状態となるように切替える。一方、湿度推定手段５２により推定された推定湿度が、第２の閾値を下回った場合には、空気系オフガスがメイン流路２１を流通するように開閉バルブ２３及び２４の開閉を切替える。即ち、開閉バルブ２３を開状態にし、開閉バルブ２４を閉状態にする。
【００３１】
湿度推定手段５２は、空気系オフガスに含有される水分量、燃料電池１０の発電により生成された生成水の量、燃料電池１０の温度、燃料電池１０の発電により得られる電圧または電流、のうち少なくとも一つを用いて空気系オフガスの湿度を推定する。
【００３２】
水分量推定手段５３は、湿度推定手段５２で推定された推定湿度と、湿度センサ２５で実測された測定湿度のいずれか一方に基づいて、燃料電池１０内の水分量を推定する。
【００３３】
水分量制御手段５４は、水分量推定手段５３により推定された推定水分量に基づいて、燃料電池１０に供給される水分量を制御する。
【００３４】
冷媒制御手段５５は、燃料電池１０に供給され、燃料電池１０内の温度を調整する（冷却する）冷媒の供給条件を制御する。この制御により、燃料電池１０内の温度が調整される。
【００３５】
次に、本実施の形態にかかる燃料電池システムの具体的動作について、図２に示すフローチャートを参照して説明する。
【００３６】
先ず、図２に示すように、初期状態では、開閉バルブ２３が閉状態、開閉バルブ２４が開状態に設定されており（ステップＳ１０１）、燃料電池１０から排出される空気系オフガスがバイパス流路２２を流通するようになっている。この状態で、空気供給源１２から所定量で供給される空気を、空気供給路１１を介して燃料電池１０に供給する。
【００３７】
この時、前記空気は、加湿器１４によって加湿されており、所定の水分が含有された空気が燃料電池１０に供給される。一方、図示しない水素供給源から所定量の水素が燃料電池１０に供給される。これらの反応ガス（空気及び水素）が燃料電池１０に供給されると、
アノード電極側では、    Ｈ2→２Ｈ+＋２ｅ-
カソード電極側では、    （１／２）Ｏ2＋２Ｈ+＋２ｅ-→Ｈ2Ｏ
燃料電池全体としては、  Ｈ2＋（１／２）Ｏ2→Ｈ2Ｏ
の電気化学反応が起こる。
【００３８】
この電気化学反応が生じた燃料電池１０からは、空気系オフガスが、空気系オフガス流路１３に排出され、水素系オフガスが、図示しない水素系オフガス流路に排出される。空気系オフガス流路１３に排出された空気系オフガスは、バイパス流路２２を経て加湿器１４に供給され、加湿器１４では、空気系オフガスと、空気供給源１２から供給される空気との間で水交換が行われる。一方、水素系オフガス流路に排出された未反応の水素は、気液分離、不純物除去等の所望の処理が施された後、再び燃料電池１０に供給される。
【００３９】
この一連の動作において、湿度推定手段５２には、燃料電池１０に供給される空気の入口温度（Ｔｉｎ）、空気系オフガスの出口温度（Ｔｏｕｔ）、燃料電池１０に供給される空気流量（Ｑ）、燃料電池１０における発電電流（ｉ）が入力される。（ステップＳ１０２）。
【００４０】
次に、湿度推定手段５２では、単位時間当たりに燃料電池１０に持ち込まれる水分量（Ｗｉｎ）を、空気の入口温度（Ｔｉｎ）と空気流量（Ｑ）に基づいて、下記に示す式（１）により算出する。（ステップＳ１０３）。この燃料電池１０に持ち込まれる水分量（Ｗｉｎ）は、本実施の形態では、入口温度（Ｔｉｎ）における飽和水蒸気を含むものとして算出される。即ち、入口温度（Ｔｉｎ）における飽和水蒸気圧から燃料電池１０に供給される空気の単位体積当たりの水量を求め（式（１）中の関数（ｆ１））、これに空気流量（Ｑ）と換算係数（ｋ１）を乗じて求めるのである。ここで、換算係数ｋ１は、加湿器１４による加湿により増加する流量を反映するものとして設定されている。
【００４１】
Ｗｉｎ＝ｋ１・Ｑ・ｆ１（Ｔｉｎ）                  式（１）
【００４２】
また、湿度推定手段５２では、単位時間当たりに燃料電池１０から持ち出される水分量（Ｗｏｕｔ）を、空気系オフガスの出口温度（Ｔｏｕｔ）と空気流量（Ｑ）とに基づいて、下記に示す式（２）により算出する。（ステップＳ１０３）。この燃料電池１０から持ち出される水分量（Ｗｏｕｔ）も燃料電池１０からの空気系オフガスが出口温度（Ｔｏｕｔ）における飽和水蒸気を含むものとして算出される。即ち、持ち込まれる水分量（Ｗｉｎ）と同様に、出口温度（Ｔｏｕｔ）における飽和水蒸気圧から空気系オフガスの単位体積当たりの水量を求め、これに空気流量（Ｑ）と換算係数（ｋ２）を乗じて求めるのである。ここで、換算係数ｋ２は、燃料電池１０の発電に伴って消費される空気中の酸素の消費量と燃料電池１０の発電に伴って生成される生成水が気化した際の水蒸気による増加分とを反映するものとして設定されている。
【００４３】
Ｗｏｕｔ＝ｋ２・Ｑ・ｆ１（Ｔｏｕｔ）                式（２）
【００４４】
また、湿度推定手段５２では、入力された発電電流（ｉ）に基づいて、電気化学反応によって生成する生成水の量（Ｗｆｃ）を算出する。（ステップＳ１０４）。
【００４５】
次に、湿度推定手段５２では、下記に示す式（３）のように、燃料電池１０に持ち込まれる水分量（Ｗｉｎ）と生成水の量（Ｗｆｃ）との和から、持ち出される水分量（Ｗｏｕｔ）を減じて収支水量（Ｗｂ）を算出する。（ステップＳ１０５）。次いで、算出された収支水量（Ｗｂ）から燃料電池１０の空気系オフガスの推定湿度を、予め湿度推定手段５２のメモリに記憶されている換算表に基づいて算出し、この情報を切替制御手段５１に出力する。（ステップＳ１０６）。
【００４６】
Ｗｂ＝Ｗｉｎ＋Ｗｆｃ−Ｗｏｕｔ                      式（３）
【００４７】
なお、湿度推定手段５２で算出される推定湿度は、実際に湿度センサ等によって測定した値ではなく、理論上（演算上）の値である。したがって、収支水量（Ｗｂ）が、正の値になった場合は、その値に応じて推定湿度が、１００％を超えた値を示すように設定することができる。これにより、後に詳述する水分量推定手段５３では、推定湿度の値に応じて、燃料電池１０内に存在する水分量を算出することが可能となる。
【００４８】
次に、切替制御手段５１では、湿度推定手段５２から受け取った推定湿度が、第１の閾値以上であるか否かを判断する。（ステップＳ１０７）。推定湿度が、第１の閾値以上である場合（ステップＳ１０７：ＹＥＳ）は、開閉バルブ２３及び２４の切替は行わずにステップＳ１０８に進む。一方、推定湿度が、第１の閾値を下回る場合（ステップＳ１０７：ＮＯ）は、ステップＳ１１２に進む。なお、本実施の形態では、第１の閾値を１００％（８０℃）に設定した。
【００４９】
ステップＳ１０８では、推定湿度が、第２の閾値以上であるか否かを判断する。推定湿度が、第２の閾値以上である場合（ステップＳ１０８：ＹＥＳ）は、この推定湿度の値を水分量推定手段５３に出力し、ステップＳ１０９に進む。一方、推定湿度が、第２の閾値を下回る場合（ステップＳ１０７：ＮＯ）は、ステップＳ１１２に進む。なお、本実施の形態では、第２の閾値を８０％（８０℃）に設定した。
【００５０】
水分量推定手段５３では、切替制御手段５１から受け取った推定湿度から、燃料電池１０内の推定水分量を、予め水分量推定手段５３のメモリに記憶されている換算表に基づいて算出し（ステップＳ１０９）、この算出された推定水分量を、水分量制御手段５４に出力する。
【００５１】
水分量制御手段５４では、水分量推定手段５３から受け取った推定水分量が、第４の閾値を超えているか否かを判断する。（ステップＳ１１０）。ここで、第４の閾値は、燃料電池１０内に水が溜まり過ぎることなく、燃料電池１０が良好に発電を継続することができる状態の値に設定されるものであり、燃料電池１０の規模等によって定められる。推定水分量が、第４の閾値を超えている場合（ステップＳ１１０：ＹＥＳ）は、この推定水分量から、燃料電池１０に供給すべき空気流量（Ｑ）を、予め水分量制御手段５４のメモリに記憶されている換算表に基づいて算出して新たな空気流量（Ｑ）を設定し（ステップＳ１１１）、この新たな空気流量（Ｑ）で、空気を燃料電池１０に供給する。この場合は、燃料電池１０に存在する水分が過剰気味であるため、空気流量（Ｑ）を減少させ、燃料電池１０内に持ち込まれる水分量を減少させる。一方、推定水分量が、第４の閾値以下である場合（ステップＳ１１０：ＮＯ）は、燃料電池１０内の水の状態が良好であり、供給される空気の加湿状態も良好と判断する。
【００５２】
また、切替制御手段５１において、推定湿度が、第１の閾値を下回る場合（ステップＳ１０７：ＮＯ）と判断されて進むステップＳ１１２では、開閉バルブ２３及び２４の切替を行い、開閉バルブ２３を開状態とし、開閉バルブ２４を閉状態とする。この動作により、燃料電池１０から排出される空気系オフガスは、バイパス流路２２を流通せずに、メイン流路２１を流通することになる。
【００５３】
次に、メイン流路２１を流通するオフガスの湿度を湿度センサ２５によって実測する。（ステップＳ１１３）。この実測された測定湿度は、切替制御手段５１に出力される。次に、切替制御手段５１では、湿度センサ２５によって実測された測定湿度が、第１の閾値以上であるか否か判断する。（ステップＳ１１４）。測定湿度が、第１の閾値以上である場合（ステップＳ１１４：ＹＥＳ）は、ステップＳ１０１に戻る。
【００５４】
ここで、このステップＳ１１２における開閉バルブ２３及び２４の切替は、推定湿度が第１の閾値を下回った際、即ち、空気系オフガスの推定湿度が１００％未満であると判断された際に行われる。したがって、メイン流路２１には、水蒸気飽和している高湿度なオフガスが流通することがない。この結果、湿度センサ２５が、水蒸気飽和状態のような高湿度雰囲気に置かれることを防止することができ、湿度センサの寿命を向上することができると共に、正確な湿度を測定することができる。
【００５５】
一方、測定湿度が、第１の閾値を下回る場合（ステップＳ１１４：ＮＯ）は、この測定湿度を水分量推定手段５３に出力する。水分量推定手段５３では、切替制御手段５１から受け取った測定湿度から、燃料電池１０内の推定水分量を、予め水分量推定手段５３のメモリに記憶されている換算表に基づいて算出し（ステップＳ１１５）、この算出された推定水分量を、水分量制御手段５４に出力する。
【００５６】
水分量制御手段５４では、水分量推定手段５３から受け取った推定水分量が、第３の閾値を超えているか否かを判断する。（ステップＳ１１６）。ここで、第３の閾値は、燃料電池１０内が乾きすぎることなく、燃料電池１０が良好に発電を継続することができる状態の値に設定されるものであり、燃料電池１０の規模等によって定められる。推定水分量が、第３の閾値以下である場合（ステップＳ１１６：ＮＯ）は、ステップＳ１１１に進み、新たな空気流量（Ｑ）を設定し、この新たな空気流量（Ｑ）で、空気を燃料電池１０に供給する。この場合は、燃料電池１０に存在する水分が不足気味であるため、空気流量（Ｑ）を増加させ、燃料電池１０内に持ち込まれる水分量を増加させる。一方、推定水分量が、第３の閾値を超える場合（ステップＳ１１６：ＹＥＳ）は、燃料電池１０内の水の状態が良好であり、供給される空気の加湿状態も良好と判断する。
【００５７】
なお、本実施の形態では、空気系オフガスの湿度について推定または実測した場合について説明したが、これに限らず、水素系オフガス流路を、メイン流路２１と、メイン流路から分岐されたバイパス流路２２から構成し、メイン流路２１の分岐点Ａと合流点Ｂとの間に湿度センサ２５を配設して、水素系オフガスの湿度を実測するか、あるいは湿度推定手段５２によって湿度を推定し、図２に示すフローチャートのような処理を行ってもよいことは勿論である。
【００５８】
また、本実施の形態では、第１の閾値が、第２の閾値よりも大きくなるように設定したが、第１の閾値と第２の閾値は、所望により同一であってもよい。また、第１の閾値及び第２の閾値は、第１の閾値が第２の閾値以上であれば、任意に決定することができる。
【００５９】
そしてまた、本実施の形態では、燃料電池１０から持ち出される水分量（Ｗｏｕｔ）を、空気系オフガスの出口温度（Ｔｏｕｔ）と燃料電池１０に供給される空気流量（Ｑ）とに基づいて算出した場合について説明したが、これに限らず、燃料電池１０から持ち出される水分量（Ｗｏｕｔ）は、酸素系オフガスの流量や、圧力等、他のファクタに基づいて推定（算出）することもできる。
【００６０】
また、本実施の形態では、湿度推定手段５２において、燃料電池１０の温度（Ｔｉｎ、Ｔｏｕｔ）、空気流量（Ｑ）、生成水の量（Ｗｆｃ）に基づいて空気系オフガスの湿度を推定したが、これに限らず、湿度推定手段５２は、他のファクタを固定しておけば、反応ガスに含有される水分量、燃料電池１０の発電により生成された生成水の量、燃料電池１０の温度、燃料電池１０の発電により得られる電圧、のうちの一つのファクタを用いて、オフガスの湿度を推定することもできる。
【００６１】
そしてまた、本実施の形態では、水分量制御手段５４において、燃料電池１０に供給される空気流量（Ｑ）を制御することで、燃料電池１０内の水分量を制御する場合について説明したが、これに限らず、燃料電池１０内の水分量は、例えば、冷媒制御手段５５から燃料電池１０に供給される冷媒の温度や流量等によって、燃料電池１０内の温度を制御することで調整してもよい。
【００６２】
また、本実施の形態では、初期状態を、開閉バルブ２３が閉状態、開閉バルブ２４が開状態に設定した場合について説明したが、これに限らず、初期状態を、開閉バルブ２３が開状態、開閉バルブ２４が閉状態に設定してもよい。この場合は、先ず、湿度センサ２５で、燃料電池１０から排出されたオフガスの湿度を実測し、この実測値が第１の閾値以上となった際に、図２に示すステップＳ１０１に進めばよい。
【００６３】
そしてまた、本実施の形態では、湿度センサ２５によって実測された測定湿度を、湿度推定手段５２にフィードバックし、必要に応じて湿度推定手段５２におけるオフガスの推定値を修正することで、より正確な湿度の推定を行ってもよい。
【００６４】
また、本実施の形態では、湿度センサ２５を、メイン流路２１のバイパス流路２２との分岐点Ａよりも下流側且つ合流点Ｂよりも上流側に配設した場合について説明したが、これに限らず、湿度センサ２５は、メイン流路２１のバイパス流路２２との分岐点Ａよりも下流側に配設されていればよい。また、この場合は、バイパス流路２２を加湿器１４に直接接続してもよい。さらにまた、湿度センサ２５は、加湿器１４の下流側に設けてもよい。
【００６５】
また、本実施の形態では、空気系オフガス流路１３を、メイン流路２１と、分岐点Ａにおいてメイン流路２１から分岐されたバイパス流路２２とから構成した場合について説明したが、これに限らず、バイパス流路２２の代わりにオフガス排出流路（図示せず）を配設し、湿度センサ２５による検知結果に応じて、切替制御手段５１によって開閉バルブ２３及び２４の切替を制御し、湿度センサ２５が設けられたメイン流路２１を流通するオフガスの量を制御してもよい。なお、この場合、開閉バルブ２３及び２４は、ＯＮ／ＯＦＦ切替の他、流路を絞る（オフガスの流通量を制限する）機能を備えていてもよい。
【００６６】
具体的には、湿度センサ２５によって、オフガスが水蒸気飽和状態であると検知された場合、切替制御手段５１によって開閉バルブ２３閉じ、あるいは絞り（制限し）、湿度センサ２５が設けられたメイン流路２１にオフガスが流通しない、あるいはオフガス量を減らし、湿度センサが、水蒸気飽和状態のような高湿度雰囲気に置かれることを防止する。一方、開閉バルブ２４を開け（全開、あるいは所望開度で開け）、水蒸気飽和状態のオフガスを、オフガス排出流路（図示せず）から排出させる。この構成の場合も、湿度センサ２５の寿命を向上することができる。この構成の場合、前述した実施の形態と同様に、湿度推定手段５２によって、オフガスの湿度を推定し、開閉バルブ２３及び２４の切替を行うことができる。
【図面の簡単な説明】
【００６７】
【図１】本発明の実施の形態にかかる燃料電池システムの概要図である。
【図２】図１に示す燃料システムの制御動作を示すフローチャートである。
【符号の説明】
【００６８】
１０…燃料電池、１１…空気供給路、１２…空気供給源、１３…空気系オフガス流路、１４…加湿器、２１…メイン流路、２２…バイパス流路、２３、２４…開閉バルブ、２５…湿度センサ、５０…制御部、５１…切替制御手段、５２…湿度推定手段、５３…水分量推定手段、５４…水分量制御手段、５５…冷媒制御手段
【図１】
2007005064.tif 000003
【図２】
2007005064.tif 000004